(57)【要約】      （修正有）【課題】カーシートやヘッドレストのある椅子に人が着座した場合長時間での着座において、首を保持することで楽に座ることを可能とした首枕を提供する。【解決手段】ベースクッション２背面にあるゴムひもを使い、椅子のヘッドレストに取り付けその上に、ネックパッド４の背面にある面ファスナーを用い、ベースクッション２の任意な位置にネックパッド４を取り付けることにより、長時間での椅子への着座に対し首を楽に保持する。【選択図】図１
0003151401.tif 000002
【実用新案登録請求の範囲】
【請求項１】
本考案は少なくとも一面が起毛生地からなるベースクッションとそのベースクッションの左右両端部に固定された固定ヒモを設けたベースクッションと一面にフック状面ファスナーを左右両端近傍に備えたネックパッドの二つのパーツから構成されていることを特徴とするクッション
【請求項２】
上に取り付けるネックパッドをアーチ状に曲げて取り付けることで中央部分がばねのような役割を果たすことで、使う側で快適な感触を得られる構造のクッションである
【考案の詳細な説明】
【技術分野】
【０００１】本考案は、椅子に取り付けるクッションとして、今までにない形状でより首が安定して座れることで長時間、首が楽な姿勢でいられるものである。
【技術背景】
【０００２】今までの首枕は、かまぼこの半円柱形のものなどが多く、左右の安定感が少なかったり高さの変化がつけることが出来なかったが、本考案のものはそれら問題点を２層構造にすることで解決するものである
【考案の開示】
【考案が解決しようとする課題】
【０００３】今までの首マクラなどについては、取り付けた後に体形や好みに合わせ位置や高さを変化させることが出来なかったものを使う人の体型にあわせ好みで動かせるものとしたいと考える
【課題を解決するための手段】
【０００４】本考案は、ベースクッションとその上に取り付けるパッドの２パーツから成り立っておりベースクッション本体表面が起毛生地で覆われており、ネックパッド背面に面ファスナーＡ面（フック側）を取り付けることによる２層構造で作ることでネックパッドを任意の位置で高さなども変化をつけることが出来るようした
このことにより、着座する人間の多くの体型や好みに合わせ、ネックパッドの取り付け位置を変化させることで、楽な姿勢が保てる構造とした
【考案の効果】
【０００５】上述のように、２層構造からなる首まくらであることから、使う人の好みや体型にあわせ高さや位置を好みにあわせ、調整が可能となっている
【考案を実施するための最良の形態】
【０００６】本考案は、図３のベースクッション２を図２のゴムひも５によって、椅子のマクラ部分にとりつけることが出来るものであり、椅子の枕の多くの形状に合わせ取り付けられるようしている
ベースクッション２の表面は起毛生地が使われており、ネックパッド４の背面にある図８のフック状面ファスナー６によって好みの位置に取り付けることができるような構造としている
このことによって、ベースクッション２に対してネックパッド４中央部分をへの字にまげて取り付けることにより使用する際の高さについても好みで差をつけることが可能なものとした。
【実施例】
【０００７】以下添付図に従って、一実施例を説明するものとする。
図１は、本考案品はベースクッション２とネックパッド３の２パーツから成り立っているものである
取り付け方法としては図２の固定ゴムひも５を使って取り付ける構造としている【０００８】図３から、ベースクッション２は表面が起毛の生地で覆われておりその上に図８のようにネックパッド背面にはフック側面ファスナー６が左右両端に取り付けられておりこの面ファスナーを使い、図３のベースクッションの上に図４のネックパッドを取り付けるものである
図７の５に取り付けられたゴムひもによって椅子のヘッドレストに取り付けられるようしている【０００９】本考案は、図９のようにカーシートへの取り付け方の例を示すものとする。
また拡大側面図においては図１０、を参考とする【００１０】本考案は、図５のような底面図であるが、前記のようにネックパッド４の中央部分をへの字にまげて取り付けることにより、図６のような形状を保持し使う人の好みの合わせた高さを選べるようにした。
【図面の簡単な説明】
【００１０】
【図１】  本考案のネッククッションの正面図。
【図２】  本クッションの右側面図
【図３】  本クッションのベースクッション単品の正面図
【図４】  本クッションネックパッド単品の正面図
【図５】  本クッションの底面図。
【図６】  本クッションのネックパッド取り付け位置変更の底面図
【図７】  本クッションの背面図。
【図８】  本クッションネックパッド単品の背面図。
【図９】  本クッションのカーシートへの取り付け実施斜視図である
【図１０】  本クッションのカーシートヘッドレストへの取り付け拡大図である
【符号の説明】
【００１１】    １    ベースクッション外周ふち巻き
１ａ    ネッククパッド外周ふち巻き
２    ベースクッション
３    ブランドネーム
４    ネックパッド
５    固定ゴムひも
６    面ファスナーＡ面（フック側）
【図１】
0003151401.tif 000003
【図２】
0003151401.tif 000004
【図３】
0003151401.tif 000005
【図４】
0003151401.tif 000006
【図５】
0003151401.tif 000007
【図６】
0003151401.tif 000008
【図７】
0003151401.tif 000009
【図８】
0003151401.tif 000010
【図９】
0003151401.tif 000011
【図１０】
0003151401.tif 000012
【手続補正書】
【提出日】平成20年12月22日(2008.12.22)
【手続補正１】
【補正対象書類名】実用新案登録請求の範囲
【補正対象項目名】全文
【補正方法】変更
【補正の内容】
【実用新案登録請求の範囲】
【請求項１】
本考案は少なくとも一面が起毛生地からなるベースクッションであって、更にそのベースクッションの左右両端部に固定された固定ゴムひもを設けたものと、一面に面ファスナーＡ面（フック側）を左右両端近傍に備えたネックパッドの二つのパーツから構成されていることを特徴とするクッション。
【手続補正２】
【補正対象書類名】明細書
【補正対象項目名】０００４
【補正方法】変更
【補正の内容】
【０００４】本考案は、ベースクッションとその上に取り付けるネックパッドの２パーツから成り立っておりベースクッション本体表面が起毛生地で覆われており、ネックパッド背面に面ファスナーＡ面（フック側）を取り付けることによる２層構造で作ることでネックパッドを任意の位置で高さなども変化をつけることが出来るようした
このことにより、着座する人間の多くの体型や好みに合わせ、ネックパッドの取り付け位置を変化させることで、楽な姿勢が保てる構造とした
【手続補正３】
【補正対象書類名】明細書
【補正対象項目名】０００６
【補正方法】変更
【補正の内容】
【０００６】本考案は、図３のベースクッション２を図２の固定ゴムひも５によって、椅子のマクラ部分にとりつけることが出来るものであり、椅子の枕の多くの形状に合わせ取り付けられるようしている
ベースクッション２の表面は起毛生地が使われており、ネックパッド４の背面にある図８の面ファスナーＡ面（フック側）６によって好みの位置に取り付けることができるような構造としている
このことによって、ベースクッション２に対してネックパッド４中央部分をヘの字にまげて取り付けることにより使用する際の高さについても好みで差をつけることが可能なものとした。
【手続補正４】
【補正対象書類名】明細書
【補正対象項目名】０００８
【補正方法】変更
【補正の内容】
【０００８】図３から、ベースクッション２は表面が起毛の生地で覆われておりその上に図８のようにネックパッド背面には面ファスナーＡ面（フック側）６が左右両端に取り付けられておりこの面ファスナーを使い、図３のベースクッションの上に図４のネックパッドを取り付けるものである
図７の５に取り付けられた固定ゴムひもによって椅子のヘッドレストに取り付けられるようしている
【手続補正書】
【提出日】平成21年3月24日(2009.3.24)
【手続補正１】
【補正対象書類名】実用新案登録請求の範囲
【補正対象項目名】全文
【補正方法】変更
【補正の内容】
【実用新案登録請求の範囲】
【請求項１】
少なくとも一面が起毛生地からなるベースクッションであって、更にそのベースクッションの左右両端部に固定された固定ゴムひもを設けたものと、一面に面ファスナーＡ面（フック側）を左右両端近傍の面に備えたネックパッドを、前記ベースクッションの起毛生地の面上に前記ネックパッドに備えられた面ファスナーＡ面（フック側）を用い該ネックパッドをベースクッションに取り付けたことを特徴とするクッション。
【手続補正２】
【補正対象書類名】明細書
【補正対象項目名】０００４
【補正方法】変更
【補正の内容】
【０００４】少なくとも一面が起毛生地からなるベースクッションであって、更にそのベースクッションの左右両端部に固定された固定ゴムひもを設けたものと、一面に面ファスナーＡ面（フック側）を左右両端近傍の面に備えたネックパッドを、前記ベースクッションの起毛生地の面上に前記ネックパッドに備えられた面ファスナーＡ面（フック側）を用い該ネックパッドをベースクッションに取り付けたことを特徴とするクッション。
ベースクッションとその上に取り付けるネックパッドの２パーツから成り立っておりベースクッション本体表面が起毛生地で覆われており、ネックパッド背面に面ファスナーＡ面（フック側）を取り付けることによる２層構造で作ることでネックパッドを任意の位置で高さなども変化をつけることが出来るようした
このことにより、着座する人間の多くの体型や好みに合わせ、ネックパッドの取り付け位置を変化させることで、楽な姿勢が保てる構造とした